【手続補正書】
【提出日】平成30年12月7日(2018.12.7)
【手続補正１】
【補正対象書類名】明細書
【補正対象項目名】００１３
【補正方法】変更
【補正の内容】
【００１３】
第１直進筒６０２の外周部には、１群鏡筒１０２の内側に設けられた直進溝（不図示）と嵌合する直進キー６０２ａが設けられている。第１直進筒６０２の内周部には、２群レンズ枠２０２の直進キー２０２ｂと嵌合する直進溝６０２ｂ、３群ベース３０２の直進キー３０２ｂと嵌合する直進溝６０２ｃが設けられている。
【手続補正２】
【補正対象書類名】明細書
【補正対象項目名】００１４
【補正方法】変更
【補正の内容】
【００１４】
外カム筒７０１には、内周部に第２直進筒７０２のフォロア７０２ａと嵌合するカム溝７０１ｆが設けられている。外カム筒７０１の外周部には、固定筒８０２のカム溝８０２ｂと嵌合するフォロア７０１ａ、回転筒８０１の直進溝８０１ａと嵌合する直進キー７０１ｂが設けられている。また、外カム筒７０１の内周部には、３群ベース３０２のフォロア３０２ａと嵌合するカム溝７０１ｃ、４群レンズ枠４０２のフォロア４０２ａと嵌合するカム溝７０１ｄ、内カム筒６０１の直進キー６０１ｅと嵌合する直進溝７０１ｅが設けられている。
【手続補正３】
【補正対象書類名】明細書
【補正対象項目名】００１５
【補正方法】変更
【補正の内容】
【００１５】
第２直進筒７０２の外周部には、固定筒８０２の直進溝８０２ｃと嵌合する直進キー７０２ｂ、外カム筒７０１のカム溝７０１ｆと嵌合するフォロア７０２ａが設けられている。また、第２直進筒７０２の内周部には、４群レンズ枠４０２の直進キー４０２ｂと嵌合する直進溝７０２ｄ、内カム筒６０１のフォロア６０１ａと嵌合するカム溝７０２ｃが設けられている。
【手続補正４】
【補正対象書類名】明細書
【補正対象項目名】００１６
【補正方法】変更
【補正の内容】
【００１６】
固定筒８０２の外周部には、回転筒８０１のカム溝８０１ｂと嵌合するフォロア８０２ａが設けられている。また、固定筒８０２の内周部には、５群ベース５１０の直進キー５１０ｂと嵌合する直進溝８０２ｄ、第２直進筒７０２の直進キー７０２ｂと嵌合する直進溝８０２ｃ、外カム筒７０１のフォロア７０１ａと嵌合するカム溝８０２ｂが設けられている。
【手続補正５】
【補正対象書類名】明細書
【補正対象項目名】００１７
【補正方法】変更
【補正の内容】
【００１７】
回転筒８０１の外周部には、ズーム駆動部９１０と連結するギア部８０１ｄが設けられている。また、回転筒８０１の内周部には、固定筒８０２のフォロア８０２ａと嵌合するカム溝８０１ｂ、外カム筒７０１の直進キー７０１ｂと嵌合する直進溝８０１ａ、５群ベース５１０のフォロア５１０ａと嵌合するカム溝８０１ｃが設けられている。回転筒８０１は、外側にカバー筒８０３が配置され、回転筒８０１とセンサーホルダ９０１とは、間に固定筒８０２を挟む形で、固定される。
【手続補正６】
【補正対象書類名】明細書
【補正対象項目名】００２０
【補正方法】変更
【補正の内容】
【００２０】
３群ユニット３００は、４群ユニット４００と隣接する第２レンズ群として機能する。この３群ユニット３００は、手振れ補正機構、シャッタ・絞りユニット３２０を有する。手振れ補正機構は、手振れによる画像のブレ（像ブレ）を抑制する機構である。３群ベース３０２には、第１直進筒６０２の直進溝６０２ｃと嵌合する直進キー３０２ｂ、外カム筒７０１のカム溝７０１ｃと嵌合するフォロア３０２ａが設けられている。
【手続補正７】
【補正対象書類名】明細書
【補正対象項目名】００２４
【補正方法】変更
【補正の内容】
【００２４】
４群ユニット４００は、５群ユニット５００内の退避レンズ群５００ａ（図６）と、３群ユニット３００とに隣接する第１レンズ群として機能する。４群ユニット４００は、４群レンズ４０１と、４群レンズ４０１を保持する４群レンズ枠４０２とを有する。４群レンズ枠４０２には、外カム筒７０１のカム溝７０１ｄと嵌合するフォロア４０２ａ、第２直進筒７０２の直進溝７０２ｄと嵌合する直進キー４０２ｂが設けられている。
【手続補正８】
【補正対象書類名】明細書
【補正対象項目名】００２７
【補正方法】変更
【補正の内容】
【００２７】
５群ベース５１０は、メインガイド軸５１１が圧入され、ＦＰＣ５１３が接続されたフォーカスモーター５１２が、ねじ５１４及びナット５１５により固定される。また、５群ベース５１０には、回転筒８０１のカム溝８０１ｃと嵌合するフォロア５１０ａ、固定筒８０２の直進溝８０２ｄと嵌合する直進キー５１０ｂを有する。
【手続補正９】
【補正対象書類名】明細書
【補正対象項目名】００３０
【補正方法】変更
【補正の内容】
【００３０】
１群ユニット１００、２群ユニット２００は、第１直進筒６０２により回転規制され、また内カム筒６０１の作用により光軸方向へ直進移動する。３群ユニット３００、４群ユニット４００は、第２直進筒７０２により回転規制され、また外カム筒７０１の作用により光軸方向へ直進移動する。５群ユニット５００は、５群ベース５１０が固定筒８０２に回転規制されるとともに、回転筒８０１の作用により光軸方向へ直進移動する。
【手続補正１０】
【補正対象書類名】明細書
【補正対象項目名】００３１
【補正方法】変更
【補正の内容】
【００３１】
ＡＦベース５０４は、メインガイド軸５１１、サブガイド５１０ｃにより回転規制される。また、ＡＦベース５０４は、フォーカスモーター５１２の出力軸に一体に形成されたリードスクリュー５１２ａとラック５０７の作用により、回転筒８０１や固定筒８０２の作用にかかわらず、５群ベース５１０に保持された状態で光軸方向へ直進移動する。以上の作用により、レンズ鏡筒２０において、ズーム駆動部９１０により回転筒８０１が回転駆動されることで各レンズ群が繰り出され、フォーカスモーター５１２がＦＰＣ５１３を介して駆動されることで、５群レンズ５０１が任意の位置に繰り出される。これにより、レンズ鏡筒２０が、沈胴状態から撮影状態へと移行する。
【手続補正１１】
【補正対象書類名】明細書
【補正対象項目名】００３６
【補正方法】変更
【補正の内容】
【００３６】
第１直進筒６０２にはカム部６０２ｘが設けられており、５群レンズ枠５０２には角部５０２ｂが設けられている。図７（Ｃ）、図７（Ｄ）に示すように、沈胴状態への移行が進むと、カム部６０２ｘと角部５０２ｂとが当接する。
【手続補正１２】
【補正対象書類名】明細書
【補正対象項目名】００３７
【補正方法】変更
【補正の内容】
【００３７】
さらに沈胴状態へと移行が進むと、図８（Ａ）、（Ｂ）に示すように、退避レンズ群５００ａが、カム部６０２ｘと角部５０２ｂの作用により、回転軸５０４ａを中心に光軸と直交する面方向（矢印Ｂ方向）へ回転しながら退避を開始する。
【手続補正１３】
【補正対象書類名】明細書
【補正対象項目名】００３８
【補正方法】変更
【補正の内容】
【００３８】
レンズ鏡筒２０の撮影状態から沈胴状態への移行が完了すると、カム部６０２ｘと角部５０２ｃの作用により、退避レンズ群５００ａは光軸上からの退避が完了し、図８（Ｃ）、図８（Ｄ）に示すように沈胴待機位置に配置される。
【手続補正１４】
【補正対象書類名】明細書
【補正対象項目名】００４１
【補正方法】変更
【補正の内容】
【００４１】
また、第１切り欠き部５０１ａによって形成される領域のうち、４群レンズ枠４０２の最外周部４０２ｅより内側の領域であるスペース５０１ｃに、４群レンズ枠４０２の外周部の一部４０２ｄが収納される。４群レンズ枠４０２の外周部の一部４０２ｄは、具体的には、４群レンズ枠４０２のフォロア４０２ａの一部である。また、同時に、スペース５０１ｃには、３群ベース３０２の一部３０２ｄが収納される。３群ベース３０２の一部３０２ｄは、具体的には、３群ベース３０２のフォロア３０２ａの一部である。これにより、フォロア４０２ａ及び３０２ａのレイアウトの自由度が向上する。
【手続補正１５】
【補正対象書類名】明細書
【補正対象項目名】００４２
【補正方法】変更
【補正の内容】
【００４２】
図１１は、沈胴状態における退避レンズ群とその近傍のレンズ群の関係を説明する図である。
図１１中の退避レンズ０１は、退避レンズ群５００ａが備える５群レンズ５０１に対応する。第１切り欠き部０１ａは、第１切り欠き部５０１ａに対応する。第２切り欠き部０１ｂは、第２切り欠き部５０１ｂに対応する。
【手続補正１６】
【補正対象書類名】明細書
【補正対象項目名】００４５
【補正方法】変更
【補正の内容】
【００４５】
本実施形態のレンズ鏡筒では、退避群である５群レンズ５０１の使用領域外の外周部に第１切り欠き部５０１ａと第２切り欠き部５０１ｂを設ける。そして、沈胴状態において、退避レンズ群５００ａが退避した後に第２切り欠き部５０１ｂによって形成されるスペースに４群レンズ４０１及び４群レンズ枠４０２の一部４０２ｃとが配置される。また、第１切り欠き部５０１ａによって形成される領域のうち、４群ユニット４００の最外周部４０２ｅより内側の領域であるスペース５０１ｃに、４群レンズ枠４０２の外周部の一部４０２ｄが配置される。
【手続補正１７】
【補正対象書類名】明細書
【補正対象項目名】００４６
【補正方法】変更
【補正の内容】
【００４６】
さらに、退避レンズ群５００ａが退避した後に第２切り欠き部５０１ｂによって形成されるスペースに、３群レンズ３０１及び３群レンズ枠３１１の一部３１１ａが配置される。また、第１切り欠き部５０１ａによって形成される領域のうち、４群ユニット４００の最外周部４０２ｅより内側の領域であるスペース５０１ｃに、３群ベース３０２の一部３０２ｄが配置される。したがって、退避レンズ群５００ａをレンズ鏡筒２０の最外径よりも外側まで退避させることなく鏡筒内に収納することが可能となり、レンズ鏡筒２０の小型化を図ることができる。また、レンズ鏡筒２０の側面に退避するための穴をあける必要がないので、レンズ鏡筒２０の小型化や、強度、耐環境性などの信頼性を損なうことを防止している。さらに、スペース５０１ｃに、４群レンズ枠４０２の外周部の一部４０２ｄ、３群ベース３０２の一部３０２ｄが配置可能となることで、レイアウトの自由度が向上する。
【手続補正１８】
【補正対象書類名】図面
【補正対象項目名】図７
【補正方法】変更
【補正の内容】
【図７】
2017107127.tif 000001
【手続補正１９】
【補正対象書類名】図面
【補正対象項目名】図８
【補正方法】変更
【補正の内容】
【図８】
2017107127.tif 000002
【手続補正２０】
【補正対象書類名】図面
【補正対象項目名】図９
【補正方法】変更
【補正の内容】
【図９】
2017107127.tif 000003